(57)【要約】【課題】ディスクカートリッジをドライブ装置内へ挿入した際の挿入感を向上させる。【解決手段】ディスク状記録媒体２と、ディスク状記録媒体２を回転可能に収納するとともに、ディスク状記録媒体２の一部を内外周に亘って外方に臨ませる記録及び／又は再生用開口部１３が設けられたカートリッジ本体５と、カートリッジ本体５にスライド可能に支持され、記録及び／又は再生装置５０側に設けられたシャッタ開閉部材６３が摺動されるとともにシャッタ開閉部材６３が挿入されるシャッタ開閉用開口部１７ａが設けられた記録及び／又は再生用開口部１３を開閉するシャッタ部材１５とを備え、シャッタ部材１５は、シャッタ開閉部材６３との衝突緩衝部２０が設けられている。【選択図】図５
2005196900.tif 000002
【特許請求の範囲】
【請求項１】
ディスク状記録媒体と、
上記ディスク状記録媒体を回転可能に収納するとともに、上記ディスク状記録媒体の一部を内外周に亘って外方に臨ませる記録及び／又は再生用開口部が設けられたカートリッジ本体と、
上記カートリッジ本体にスライド可能に支持され、記録及び／又は再生装置側に設けられたシャッタ閉部材が摺動されるとともに該シャッタ閉部材が挿入されるシャッタ閉用開口部が設けられた上記記録及び／又は再生用開口部を開閉するシャッタ部材とを備え、
上記シャッタ部材は、上記シャッタ閉部材との衝突緩衝部が設けられているディスクカートリッジ。
【請求項２】
上記衝突緩衝部は、折曲部であることを特徴とする請求項１記載のディスクカートリッジ。
【請求項３】
上記衝突緩衝部は、面取り部であることを特徴とする請求項１記載のディスクカートリッジ。
【発明の詳細な説明】
【技術分野】
【０００１】
本発明は、光ディスク等のディスク状記録媒体を収納したディスクカートリッジに関する。
【背景技術】
【０００２】
従来、光ディスク等のディスク状記録媒体を回転可能に収納し、ディスク状記録媒体を収納したままの状態で記録及び／又は再生装置に装着されるディスクカートリッジが広く用いられている。この種のディスクカートリッジは、ディスク状記録媒体をカートリッジ本体に収納することにより、ディスク状記録媒体の保護を図るとともに、記録及び／又は再生装置への挿脱を容易に行うことを可能としている。
【０００３】
ディスクカートリッジは、ディスク状記録媒体をカートリッジ本体に収納したままの状態で記録及び／又は再生装置に装着可能とすることから、カートリッジ本体には、ディスク状記録媒体の一部を内外周に亘って外方に臨ませる記録及び／又は再生用開口部が設けられている。記録及び／又は再生装置側に設けた光ピックアップ等の記録再生用のヘッド部は、記録及び／又は再生用開口部を介してディスク状記録媒体と対向し、ディスク状記録媒体の信号記録領域を走査して情報信号の記録又は再生を行う。
【０００４】
そこで、ディスク状記録媒体を収納したディスクカートリッジには、記録及び／又は再生用開口部を閉塞するためのシャッタ部材が設けられている。このシャッタ部材は、記録及び／又は再生用開口部を閉塞するに足る大きさの矩形状に形成された平板状のシャッタ部と、シャッタ部の基端部側に形成された断面コ字状の支持部とを備える。そして、シャッタ部材は、カートリッジ本体側に設けられた溝形状からなるスライドガイド部に支持部を挿入させることにより、カートリッジ本体の一側面部をスライド可能に係合されている。これにより、シャッタ部材は、シャッタ部が記録及び／又は再生用開口部を開閉自在にスライドされる。
【０００５】
また、シャッタ部材は、支持部のカートリッジ本体の一側面に面する側に、シャッタ部材の開閉操作を行うシャッタ開閉部材が挿入されるシャッタ開閉用開口部が形成されている。このシャッタ開閉用開口部に挿入されるシャッタ開閉部材は、ディスク記録及び／又は再生装置の装置本体に設けられ、例えば可撓性を有する弾性バネからなる。シャッタ開閉部材１００は、図２０に示すように、略く字状に折り曲げられシャッタ部材を係止する
係止部１０２がシャッタ部材の移動軌跡上に張り出してディスクカートリッジの進入を待機している。そして、カートリッジ本体が搬送されると、この係止部１０２がシャッタ部材の支持部１０１の前端部と当接し、シャッタ開閉部材１００が撓まされることにより支持部１０１に乗り上げ、支持部１０１を摺動してシャッタ閉用開口部に進入し係合する。
【０００６】
これによりシャッタ閉用開口部は、カートリッジ本体に設けられたスライドガイド部の移動が規制され装置本体内への進入が防止される。これによりシャッタ部材は、さらに装置本体内へ搬送されるディスクカートリッジのカートリッジ本体に対して相対的に移動し、記録及び／又は再生用開口部を開放する。そして、ディスクカートリッジがディスク記録及び／又は再生装置より排出される方向へ搬送されると、シャッタ閉部材１００が挿入され移動が規制されているシャッタ部材は、装置本体外へ搬送されるディスクカートリッジのカートリッジ本体に対して相対的に移動し、記録及び／又は再生用開口部を閉塞する。その後、カートリッジ本体がディスク記録及び／又は再生装置から排出されると、シャッタ閉部材１００は、シャッタ閉用開口部が摺動することによりカートリッジ本体外へ撓まされ、シャッタ閉用開口部から係止部が退避する。
【０００７】
【特許文献１】特開平９−９１９１５号公報
【発明の開示】
【発明が解決しようとする課題】
【０００８】
しかし、従来のディスクカートリッジにおいては、図２０に示すように、ディスク記録及び／又は再生装置へ挿入される際、シャッタ閉部材１００がシャッタ部材と接触する部位であるシャッター部材の支持部１０１の前端部が角形であったために、シャッタ閉部材１００は、係止部１０２が支持部１０１の前端部へ突き当てられ、ディスクカートリッジのスムーズな挿入を阻害し、ディスクカートリッジの挿入感を悪化させていた。また、シャッタ開閉部材１００の係止部１０２とシャッタ部材の支持部１０１とが突き当てられることにより、両部材の劣化や摩耗、塵埃等が発生するおそれがあった。
【０００９】
そこで、本発明は、ディスクカートリッジをディスク記録及び／又は再生装置内へ挿入した際の挿入感を向上させるディスクカートリッジを提供することを目的とする。
【課題を解決するための手段】
【００１０】
上述した課題を解決するために、本発明に係るディスクカートリッジは、ディスク状記録媒体と、上記ディスク状記録媒体を回転可能に収納するとともに、上記ディスク状記録媒体の一部を内外周に亘って外方に臨ませる記録及び／又は再生用開口部が設けられたカートリッジ本体と、上記カートリッジ本体にスライド可能に支持され、記録及び／又は再生装置側に設けられたシャッタ閉部材が摺動されるとともに該シャッタ閉部材が挿入されるシャッタ閉用開口部が設けられた上記記録及び／又は再生用開口部を閉じるシャッタ部材とを備え、上記シャッタ部材は、上記シャッタ閉部材との衝突緩衝部が設けられている。
【発明の効果】
【００１１】
本発明に係るディスクカートリッジによれば、シャッタ部材に、記録及び／又は再生装置内に設けられているシャッタ閉部材６３と当接される端部に、当接の際の衝撃を緩和する衝突緩衝部が形成されている。したがって、ディスクカートリッジを記録及び／又は再生装置内に挿入する際、記録及び／又は再生装置側に設けられているシャッタ閉部材は、衝突緩衝部に当接され、この衝突緩衝部にガイドされることによりスムーズにシャッタ部材に乗り上げ、摺動することができる。このため、ディスクカートリッジは、シャッタ部材の端部と、記録及び／又は再生装置側のシャッタ閉部材との衝突による引っかかりがなく、記録及び／又は再生装置への挿入感の向上を図ることができる。
【発明を実施するための最良の形態】
【００１２】
以下、本発明が適用されたディスクカートリッジについて、図面を参照しながら詳細に説明する。このディスクカートリッジ１は、ディスク状記録媒体として、例えば、光ディスク２を回転可能に収納したものであって、図１及び図２に示すように、上下一対のハーフ３，４を突き合わせ結合したカートリッジ本体５を備え、このカートリッジ本体５内に光ディスク２を回転可能に収納している。
【００１３】
本発明に係るディスクカートリッジ１は、例えばテレビジョンゲームを実行するプログラムデータやビデオデータが記録された光ディスク２を収納したものであり、しかも、極めて小型に構成されている。このディスクカートリッジ１は、例えば、直径を６０ｍｍ程度とする小径の光ディスク２を収納したものであって、片手の掌に収納し得る程度の大きさに形成されている。
【００１４】
光ディスク２を収納するカートリッジ本体５を構成する上下ハーフ３，４は、合成樹脂材料を成形して形成され、互いに突き合わせ結合されることによりカートリッジ本体５を構成する。また、上下ハーフ３，４には、外周囲に立ち上がり周壁３ａ，４ａが形成されており、これら各立ち上がり周壁３ａ，４ａは上下ハーフ３，４が突き合わせられることにより突き合わせられ、ディスク収納部６を構成する。なお、上下ハーフ３，４は、これら上下ハーフ３，４の相対向する内面に突設した溶着用突起を超音波溶着法等の溶着法を用いて結合されてカートリッジ本体５を構成する。
【００１５】
このディスクカートリッジ１を構成するカートリッジ本体５は、図１乃至図３に示すように、このディスクカートリッジ１が挿脱されるディスクドライブ装置への挿入端側となる一側面である前面を円弧状部７として形成している。この円弧状部７は、図２に示すように、カートリッジ本体５のディスク収納部６に収納された光ディスク２の中心を中心Ｐ０として半径Ｒ１を一定にしたほぼ半円の円弧状に形成されている。すなわち、円弧状部７は、カートリッジ本体５に収納された光ディスク２の半円に相当する部分と対向するような半円として形成されている。
【００１６】
カートリッジ本体５の円弧状部７に連続する相対向する側面は、互いに平行な側面８，９として形成され、円弧状部７と対向する背面は、なだらかに湾曲して連続した湾曲部１０として形成されている。
【００１７】
本発明に係るディスクカートリッジ１は、挿入端側となる一の側面である前面を他の面に比し大きく湾曲したほぼ半円の円弧状部７としているので、カートリッジ挿脱口を介してスロットイン方式により挿脱が行われるディスクドライブ装置へ挿入を行う際、ディスクドライブ装置内への挿入方向が容易に判別できる。特に、掌内に収納できる程度に小型化したディスクカートリッジ１にあっては、手で握った感覚でも挿入方向の識別を行うことができるので、誤挿入を防止して正確にディスクドライブ装置に装着することも可能となる。しかも、このディスクカートリッジ１は、後述するように、スロットイン方式のディスクドライブ装置へ挿入操作が容易となるばかりか、確実な挿入操作を実現できる。
【００１８】
更に、本発明に係るディスクカートリッジ１は、挿入端側をほぼ半円の円弧状部７とし、更に加えて円弧状部７と対向する背面も湾曲部１０としているので、収納する光ディスク２に対し一層の小型化が実現されている。
【００１９】
カートリッジ本体５の下面側を構成する下ハーフ４の中央部には、図２及び図３に示すように、カートリッジ本体５に収納した光ディスク２の中心部に形成したセンター穴１１及びその周縁を外方に臨ませる円形の中央開口部１２が形成されている。中央開口部１２には、ディスクカートリッジ１が装着されるディスクドライブ装置側に設けられたディスク回転駆動機構の一部、例えばターンテーブルが進入する。
【００２０】
カートリッジ本体５の下面側を構成する下ハーフ４には、図２及び図３に示すように、記録及び／又は再生用開口部であるヘッド用開口部１３が形成されている。ヘッド用開口部１３は、カートリッジ本体５の一方の側面８に位置し、カートリッジ本体５に収納された光ディスク２の信号記録領域の一部を内外周に亘って外方に臨ませるに足る大きさの矩形状に形成されている。すなわち、ヘッド用開口部１３は、カートリッジ本体５の円弧状部７が形成された前面以外の直線状の平坦な面とされた側面８に臨んで形成されている。このヘッド用開口部１３は、後述するシャッタ部材１５によって閉塞される。
【００２１】
また、カートリッジ本体５は、ヘッド用開口部１３の長手方向の一端が臨まされる側面８に、後述するシャッタ開放部材がガイドされるガイド溝１４が形成されている。ガイド溝１４には、ディスクカートリッジ１がディスクドライブ装置内に挿入されると、ディスクドライブ装置側に形成されたシャッタ開放部材が進入し、このシャッタ開放部材をシャッタ部材１５に当接させ、ヘッド用開口部１３を開放させる。
【００２２】
ヘッド用開口部１３を開閉するシャッタ部材１５は、薄い金属板を打ち抜き折り曲げて形成され、若しくは合成樹脂材料を成形することにより形成されている。そして、シャッタ部材１５は、ヘッド用開口部１３を閉塞するに足る大きさの矩形状に形成された平板状のシャッタ部１６と、シャッタ部１６の基端部側に形成され断面コ字状の支持部１７とを備える。
【００２３】
このシャッタ部材１５は、カートリッジ本体５を構成する上ハーフ３側を支持部１７により支持することにより、ヘッド用開口部１３を開閉する図２中矢印Ａ方向又は矢印Ｂ方向に移動可能に支持されている。すなわち、シャッタ部材１５は、図４に示すように、上ハーフ３に形成された立ち上がり周壁３ａの一部をもって構成されたスライドガイド部１８を支持部１７により支持してカートリッジ本体５に移動可能に取り付けられている。そして、シャッタ部１５は、支持部１７がディスクドライブ装置５０側に設けられたシャッタ開閉部材６３に係合されることにより、カートリッジ本体５の搬送に伴ってヘッド用開口部１３を開放又は閉塞する方向にスライドされる。
【００２４】
ここで、シャッタ部材１５と係合するシャッタ閉部材６３について説明する。シャッタ閉部材６３は、シャッタ部材１５と係合することによりシャッタ部材１５の移動を規制し、シャッタ部材１５をカートリッジ本体５に対して相対的に移動させ、ヘッド用開口部１３の閉塞を行うものである。シャッタ閉部材６３は、後述するディスクドライブ装置５０のカートリッジホルダ５４に設けられ、図５に示すように、例えば可撓性を有する弾性バネからなる。シャッタ閉部材６３は、カートリッジ本体５側に突出するように略く字状に折り曲げられ、又は、く字状の断面が形成されるように成形され、シャッタ部材１５と係合する係合部６４が設けられている。
【００２５】
この係合部６４は、ディスクドライブ装置５０のカートリッジ挿脱口５３側に形成され装置本体５１内へ搬送されるディスクカートリッジ１のシャッタ部材１５が突き当てられる突き当て斜面６４ａと、ディスクドライブ装置５０のカートリッジ挿脱口５３と反対側に形成され装置本体外へ排出されるディスクカートリッジ１のシャッタ部材１５に押圧される押圧斜面６４ｂが形成されている。
【００２６】
このようなシャッタ閉部材６３は、係合部６４が、常時カートリッジ本体５の移動軌跡上に張り出してディスクカートリッジ１の搬送を待機している。そして、シャッタ閉部材６３は、ディスクカートリッジ１がディスクドライブ装置５０のカートリッジホルダ５４内へ挿入され、ローディング位置へ搬送されると、係合部６４がカートリッジ本体５の側面８に形成されたガイド溝１４に進入し、突き当て斜面６４ａがシャッタ部材１５の支持部１７に突き当てられることにより図５中矢印Ｄ方向へ撓まされる。そして、シャッタ閉部材６３は、係合部６４が支持部１７を摺動していき、後述する係合孔１７ａに進入することによりシャッタ部材１５と係合する。また、ディスクカートリッジ１がディスクドライブ装置５０外へ搬送されると、シャッタ閉部材６３は、係合孔１７ａによって係合部６４の押圧斜面６４ｂが押圧され、図５中矢印Ｄ方向へ撓まされる。そして、シャッタ閉部材６３は、係合部６４が係合孔１７ａより排出されシャッタ部材１５との係合が解除される。
【００２７】
このシャッタ閉部材６３と係合されるシャッタ部材１５の支持部１７は、図４及び図６に示すように、シャッタ部１６の基端部から垂直に立ち上がり形成された連結片２１が形成され、この連結片２１の先端部にシャッタ部１６側に向かって折り曲げられた第１の係合片２２が設けられている。また、連結片２１には、シャッタ部材１５の移動方向下流側に、第１の係合片２２が形成された部分より一段低い位置でＬ字状に折り曲げられた第２の係合片２３が設けられている。この第２の係合片２３は、先端部側が第１の係合片２２側に突出するようにＬ字状に折り曲げられた折り曲げ部２３ａが形成されている。
【００２８】
また、支持部１７は、シャッタ部材１５の移動方向下流側の端部に、ディスクドライブ装置５０内に設けられているシャッタ閉部材６３が当接される際の衝撃を緩和する緩衝部２０が形成されている。緩衝部２０は、支持部１７の端部からシャッタ部１６の先端側に向かって湾曲するように稍折り曲げられて形成されている。したがって、ディスクカートリッジ１をディスクドライブ装置５０内に挿入する際、ドライブ装置側に設けられているシャッタ閉部材６３は、緩衝部２０に当接され、湾曲する緩衝部２０にガイドされることによりスムーズに支持部１７に乗り上げられる。このため、ディスクカートリッジ１は、シャッタ部材１５の支持部１７の端部と、ディスクドライブ装置５０側のシャッタ閉部材６３との衝突による引っかかりがなく、ディスクドライブ装置５０への挿入感の向上を図ることができる。また、シャッタ部材１５とシャッタ閉部材６３との衝突が緩和されることにより、衝突による部材の劣化や摩耗、塵埃の発生等を防止することができる。
【００２９】
また、支持部１７は、シャッタ部材１５のスライド方向の略中間部にシャッタ閉部材６３に挿入されることにより係合される係合孔１７ａが形成されている。係合孔１７ａは、上記緩衝部２０にガイドされ支持部１７を摺動するシャッタ閉部材６３が進入することにより、シャッタ部材１５とシャッタ閉部材６３とを係合させる。シャッタ部材１５がシャッタ閉部材６３に係合されることにより、シャッタ部材１５の移動が規制され、シャッタ部材１５がカートリッジ本体５に対してヘッド用開口部１３の閉方向へ相対的に移動される。
【００３０】
また、連結片２１は、シャッタ部材１５の移動方向上流側に、後述する捩りコイルバネ２９の係止部３３が係止される係止孔２７が形成されたコイルバネ取付片２６が設けられている。コイルバネ取付片２６は、シャッタ部１６側に向かって延設されると共に一部が開放された略円形の係止孔２７が形成されている。また、コイルバネ取付片２６は、第２の係合片２３と同様に、先端部側が第１の係合片２２側に突出するようにＬ字状に折り曲げられた折り曲げ部２６ａが形成されている。
【００３１】
この係止孔２７には、後述する捩りコイルバネ２９の第１のアーム部２９ａに形成された係止部３３が開放端より挿入され係止されることによりシャッタ部材１５と捩りコイルバネ２９とが連結される。
【００３２】
このシャッタ部材１５は、図２に示すように、シャッタ部１６をヘッド用開口部１３上に延在するようにカートリッジ本体５に配設される。このとき、シャッタ部材１５は、図６、図７及び図８に示すように、支持部１７に設けた第１の係合片２２をスライドガイド部１８の側面に形成した係合溝２４に係合させるとともに、第２の係合片２３及びコイルバネ取付片２６にＬ字状に折り曲げ形成された折り曲げ部２３ａ及び２６ａをスライドガイド部１８の先端側に係合させることにより、第１及び第２の係合片２２，２３及びコイルバネ取付片２６によって支持部１７を挟み込むように支持する。このように支持されたシャッタ部材１５は、支持部１７にガイドされ、ヘッド用開口部１３を開閉する図２中矢印Ａ方向又は矢印Ｂ方向に移動する。
【００３３】
なお、図２に示すように、下ハーフ４のシャッタ部１６が移動する領域には、凹状のシャッタスライド部１９が形成されている。シャッタスライド部１９は、シャッタ部１６をカートリッジ本体５の表面から突出させないに足る深さをもって形成されている。
【００３４】
また、本発明に係るディスクカートリッジ１において、下ハーフ４に形成された立ち上がり周壁４ａのヘッド用開口部１３と対向する部分には、図４及び図８に示すように、切り欠き部２５が形成されて開放されている。すなわち、ヘッド用開口部１３は、カートリッジ本体５の内周側から外周縁に亘る領域が開放されて形成されている。
【００３５】
また、上ハーフ３側に形成されたスライドガイド部１８の少なくともヘッド用開口部１３と対向する部分は、ディスクドライブ装置５０内のカートリッジ装着部に高さ方向の位置決めが図られて装着されたディスクカートリッジ１内の光ディスク２がターンテーブル上に位置決めして装着されたとき、図８に示すように、この光ディスク２の下ハーフ４と対向する下面２ａから突出しない高さＨ１として形成されている。
【００３６】
このように形成されたディスクカートリッジ１は、シャッタ部材１５が移動されてヘッド用開口部１３が開放されたとき、光ディスク２に記録された情報信号を読み出すヘッド部である光ピックアップの全体をカートリッジ本体５内に位置させるばかりか、光ピックアップが光ディスク２の外周側を走査する位置に移動されたとき、後述するように、光ディスク２の信号記録領域を走査する光ビームを集光する対物レンズをカートリッジ本体５内に位置させながら、その他の光学ブロック部分をカートリッジ本体５の外方に位置させることができる。
【００３７】
その結果、本発明に係るディスクカートリッジ１は、光ピックアップを光ディスク２に近接させながら、カートリッジ本体５の内外に亘って位置させることができるので、光ディスク２の外周縁まで信号記録領域を形成することができ、光ディスク２に記録される記録容量を増大させることができる。更に、光ピックアップを光ディスク２に近接させることができることから、対物レンズの開口数（ＮＡ）を大きくでき、光ディスク２の信号記録領域に集光される光ビームのビームスポットを小さくできるので、光ディスク２に記録される情報信号の記録密度を向上できる。更にまた、記録容量の増大とともに記録密度の向上が実現できることから、一定量の記録容量を必要とする光ディスク２の小径化が実現できる。更にまた、光ピックアップをカートリッジ本体５の内外に亘るように位置させて光ディスク２の走査ができるので、カートリッジ本体５の小型化を実現でき、このディスクカートリッジ１を用いるディスクドライブ装置５０の小型化も実現可能となる。
【００３８】
また、本発明に係るディスクカートリッジ１において、ヘッド用開口部１３を開閉するシャッタ部材１５は、図１及び図２に示すように、カートリッジ本体５の平坦な側面８に沿って移動するように取り付けられている。したがって、シャッタ部材１５は、支持部１７を平坦な側面８に沿わせながら直線移動されるので、安定した移動操作が実現される。
【００３９】
さらに、ヘッド用開口部１３は、カートリッジ本体５の平坦な側面８に対向する位置に形成されているので、下ハーフ４側に形成される切り欠き部２５が形成された部分も直線状の面とされている。したがって、切り欠き部２５が形成され、カートリッジ本体５の外方に臨む側面８の側が開放されたヘッド用開口部１３であっても、全体が矩形状に形成され、直線状の断面コ字状をなす支持部１７を備えたシャッタ部材１５により確実に閉塞することができる。
【００４０】
また、本発明が適用されたディスクカートリッジは、シャッタ部材１５の緩衝部を以下のように形成してもよい。なお、以下の説明において上記ディスクカートリッジ１と同一の部材については同一の符号を付してその詳細を省略する。
【００４１】
カートリッジ本体５のヘッド用開口部１３を開閉するシャッタ部材１５は、支持部１７にシャッタ部材１５の移動方向下流側の端部に形成された緩衝部４０が形成されている。この緩衝部４０は、図９に示すように、支持部１７の外側面のコーナ部の端部が面取りされることにより、テーパ面が形成されている。したがって、ディスクカートリッジ１をディスクドライブ装置５０内に挿入する際、ドライブ装置側に設けられているシャッタ閉部材６３は、緩衝部４０に当接され、テーパ状に形成された緩衝部４０にガイドされることによりスムーズに支持部１７に乗り上げられる。このため、ディスクカートリッジ１は、シャッタ部材１５の支持部１７の端部と、ディスクドライブ装置５０側のシャッタ閉部材６３との衝突による引っかかりがなく、ディスクドライブ装置５０への挿入感の向上を図ることができる。また、シャッタ部材１５とシャッタ閉部材６３との衝突が緩和されることにより、衝突による部材の劣化や摩耗、塵埃の発生等を防止することができる。
【００４２】
次いで、捩りコイルバネ２９について説明する。この捩りコイルバネ２９は、シャッタ部材１５をヘッド用開口部１３の開閉方向へ移動させるとともに、シャッタ部材１５をヘッド用開口部１３を開放した位置又は閉塞した位置に保持するものである。捩りコイルバネ２９は、一端をシャッタ部材１５に係止されるとともに他端をカートリッジ本体５に回動自在に係合されている。そして、捩りコイルバネ２９は、シャッタ部材１５のカートリッジ本体５に対する移動位置に応じて、シャッタ部材１５をヘッド用開口部１３を開放する方向又は閉塞する方向に回動付勢する。
【００４３】
この捩りコイルバネ２９は、図１０（ａ）及び（ｂ）に示すように、中間部に設けられた第１のコイル部３０を介して、シャッタ部材１５に係止される第１のアーム部２９ａと、カートリッジ本体５の一部に支持される第２のアーム部２９ｂが形成されている。
【００４４】
第１のコイル部３０は、複数回巻回されることにより所定の厚みを有して形成され、厚さ方向の一端側３０ａより第１のアーム部２９ａが延設され、厚さ方向の他端側３０ｂより第２のアーム部２９ｂが延設されている。第１のコイル部３０の線径、巻数、自由角度は、様々な設計が可能であるが、最適な値をとる捩りコイルバネを選定する。
【００４５】
この第１のコイル部３０より延設される第１のアーム部２９ａは、先端部にシャッタ部材１５に係止される係止部３３が形成されている。係止部３３は、第１のアーム部２９ａの先端部から延設される延設部３３ａと、この延設部３３ａの延設方向より第１のコイル部３０の巻方向へ略直角に折り曲げられる立ち上がり部３３ｂと、立ち上がり部３３ｂの先端がさらに第１のアーム部２９ａと略平行に折り曲げられる折り曲げ部３３ｃとからなり、全体を略コ字状に形成されている。係止部３３の折り曲げ部３３ｃは、第１のアーム部２９ａの延設方向から所定の角度θ１を有して折り曲げられている。この係止部３３は、立ち上がり部３３ｂをシャッタ部材１５のコイルバネ取付片２６の先端に穿設した係止孔２７に開放端より挿入、係止させることにより捩りコイルバネ２９をシャッタ部材１５に支持させる。
【００４６】
ここで、係止部３３の折り曲げ部３３ｃは、第１のアーム部２９ａの延設方向から所定の角度θ１を有して折り曲げられているため、シャッタ部材１５が開閉動作されたときにも、係止部３３の係止孔２７からの抜け止めが図られている。すなわち、図１１に示すように、捩りコイルバネ２９は、係止部３３の先端が折り曲げられることにより、折り曲げ部３３ｃがコイルバネ取付片２６の下面側に延設される。したがって、シャッタ部材１５の開閉動作中に捩りコイルバネ２９が図１１中矢印Ｈ方向に揺動され、又はシャッタ部材１５が図１１中矢印Ｉ方向に揺動された場合にも、係止部３３の折り曲げ部３３ｃがコイルバネ取付片２６の下面部に当接するため、捩りコイルバネ２９とシャッタ部材１５との係合が外れることを防止することができる。
【００４７】
捩りコイルバネ２９の第２のアーム部２９ｂは、図１０に示すように、捩りコイルバネ２９をカートリッジ本体５に回動自在に係合させる第２のコイル部３１が形成されている。この第２のコイル部３１は、上記第１のコイル部３０と巻方向を逆にして複数回巻回されることにより、第１のコイル部３０の厚さ方向の一端側３０ａに向かって形成されている。そして、第２のコイル部３１は、カートリッジ本体５の内面に突設した支持ピン４２に回転自在に取り付けられている。なお、第２のコイル部３１は、上記第１のコイル部３０と同様に、線径、巻数、自由角度は様々な設計が可能であるが、最適な値をとる捩りコイルバネを選定する。
【００４８】
この捩りコイルバネ２９は、第１のコイル部３０と第２のコイル部３１とが巻方向を互いに逆にして複数回巻回されて形成されているため、捩りコイルバネ２９全体の厚みを抑え、カートリッジ本体５の薄型化を図ることができる。すなわち、コイル部を複数備えた捩りコイルバネにおいて、各コイル部の巻方向を同一方向に形成すると、第２のコイル部３１は第１のコイル部３０の他端側３０ｂの位置からさらに第１のコイル部３０の厚さ方向の他端側３０ｂに向かって巻回されるため、第１のコイル部３０の厚さに第２のコイル部３１の厚さが加わることによりバネ全体の厚さが増してしまい、捩りコイルバネを収納するカートリッジ本体の厚さが増してしまう。また、このようなディスクカートリッジが挿脱されるディスクドライブ装置５０の厚さも増大する。
【００４９】
しかし、この捩りコイルバネ２９によれば、第１のコイル部３０と第２のコイル部３１とが互いに巻方向が逆とされることにより、第２のコイル部３１は第１のコイル部３０の一端側３０ａに向かって巻回され、バネ全体の厚さを第１又は第２のコイル部３０，３１のいずれかの厚さに抑えることができる。
【００５０】
この捩りコイルバネ２９は、図１２に示すように、シャッタ部材１５がヘッド用開口部１３を開放する方向に移動する側に位置して配設されている。すなわち、捩りコイルバネ２９は、シャッタ部材１５がヘッド用開口部１３を閉塞する位置から開放する位置に向かう上流側に位置して配設されている。
【００５１】
ところで、シャッタ部材１５の移動方向の上流側は、ヘッド用開口部１３から離間する方向であるので、この上流側に捩りコイルバネ２９を配設することにより、ヘッド用開口部１３を開放したとき、ヘッド用開口部１３に捩りコイルバネ２９が突出するようなことが防止でき、ヘッド用開口部１３を大きく開口できる。
【００５２】
更に、本発明に係るディスクカートリッジ１において、シャッタ部材１５の移動方向の上流側は、ディスクドライブ装置５０への挿入端とは反対側の背面側のコーナ部であり、余裕ある空間として構成できるので、捩りコイルバネ２９を効率よくカートリッジ本体５内に配置できる。
【００５３】
そして、シャッタ部材１５は、ヘッド用開口部１３を閉塞する位置にあるときには、捩りコイルバネ２９により図１２中矢印Ｂ方向に付勢され、ヘッド用開口部１３を閉塞した状態を維持する。ディスクカートリッジ１がディスクドライブ装置５０に挿入され、カートリッジホルダによりローディングされると、シャッタ部材１５は、ディスクドライブ装置５０側に形成され、シャッタ部材１５の搬送経路上に張り出されているシャッタ閉部材６３がカートリッジ本体５の側面８に形成されたガイド溝１４に進入し、シャッタ部材１５の支持部１７にシャッタ部材１５の移動方向下流側から当接される。シャッタ開閉部材６３がシャッタ部材１５の支持部１７に形成された緩衝部２０に衝突すると、シャッタ開閉部材６３が湾曲状に形成された緩衝部２０にガイドされてカートリッジ本体５の外方に撓ませられながらスムーズに支持部１７に乗り上げられ、支持部１７を摺動する。
【００５４】
このとき、緩衝部２０が湾曲状に形成されているため、シャッタ開閉部材６３とシャッタ部材１５との衝突による衝撃が緩和されることによりシャッタ部材１５の支持部１７端部による引っかかりがなくなり、ディスクカートリッジ１は、ディスクドライブ装置５０への挿入感が向上される。また、シャッタ開閉部材６３及びシャッタ部材１５の衝突による両部材の劣化や摩耗、塵埃等の発生が防止される。
【００５５】
支持部１７を摺動するシャッタ閉部材６３は、支持部１７の略中間に穿設された係合孔１７ａに進入し、シャッタ部材１５と係合する。また、シャッタ部材１５は、図示しないシャッタ開部材に当接され、これらシャッタ閉部材６３及びシャッタ開部材により、シャッタ部材１５は、装置本体内へ搬送されるカートリッジ本体５に対して移動が規制され、相対的に図１中矢印Ａ方向へ移動され、ヘッド用開口部１３を開放する。
【００５６】
シャッタ部材１５がカートリッジ本体５に対して相対的に図１中矢印Ａ方向へ移動されると、捩りコイルバネ２９は、第２のコイル部３１が回動自在に係合されている支持ピン４２を回動支点として、固定されていない中心部に形成した第１のコイル部３０の位置がシャッタ部材１５の移動方向の矢印Ａ方向に移動していく。捩りコイルバネ２９は、第１のコイル部３０が更に矢印Ａ方向に移動し、シャッタ部材１５の移動方向側に位置する支持ピン４２の位置を超えると付勢方向が反転される。捩りコイルバネ２９は、付勢方向が反転されると、シャッタ部材１５を図１３中矢印Ａ方向に移動するように付勢し、ヘッド用開口部１３を開放する方向の矢印Ａ方向に移動してヘッド用開口部１３を開放した位置に保持する。
【００５７】
シャッタ部材１５がヘッド用開口部１３を開放した位置に保持されたディスクカートリッジ１をディスクドライブ装置５０から取り出すイジェクト操作を行うと、カートリッジ本体５がドライブ装置外へ搬送される。シャッタ閉部材６３に係合されることによりカートリッジ本体５に対して移動が規制されているシャッタ部材１５は、上述した挿入動作と逆の動作をもってカートリッジ本体５に対し相対的に図１３中矢印Ｂ方向に移動していく。
【００５８】
シャッタ部材１５が図１３中矢印Ｂ方向へ移動すると、捩りコイルバネ２９は、中心の第１のコイル部３０も同方向の矢印Ｂ方向に移動していく。捩りコイルバネ２９は、シャッタ部材１５が更に矢印Ｂ方向方向に移動し、第１のコイル部３０がシャッタ部材１５の移動方向側に位置する支持ピン４２の位置を超えると付勢方向が反転される。捩りコイルバネ２９は、付勢方向が反転されると、シャッタ部材１５を図１２中矢印Ｂ方向に付勢し、ヘッド用開口部１３を閉塞した位置に保持する。
【００５９】
このように捩りコイルバネ２９により付勢されたシャッタ部材１５は、ヘッド用開口部１３を閉塞した位置及び開放した位置のそれぞれの位置に捩りコイルバネ２９の付勢力を受けて支持されるので、確実にヘッド用開口部１３を閉塞し又は開放した状態を維持できる。
【００６０】
一方、このディスクカートリッジ１を用いるディスクドライブ装置５０には、付勢部材の付勢力に抗してシャッタ部材１５をヘッド用開口部１３を開放した位置に保持するための機構を設ける必要がないので、ディスクドライブ装置５０の機構の簡素化が図られ、装置自体の小型化を実現することができる。
【００６１】
更に、このディスクカートリッジ１によれば、シャッタ部材１５がカートリッジ本体５に設けたヘッド用開口部１３に対する位置に応じて、捩りコイルバネ２９によりヘッド用開口部１３を開放する方向又は閉塞方向に移動されるので、ディスクカートリッジ１のディスクドライブ装置５０への挿脱に関連してヘッド用開口部１３を確実に開放し又は閉塞することができる。
【００６２】
更にまた、このディスクカートリッジ１によれば、シャッタ部材１５が捩りコイルバネ２９によりヘッド用開口部１３を開放した側に移動付勢されるので、シャッタ部材１５をヘッド用開口部１３を開放した位置に移動させるためにオーバーストローク分を設ける必要がなくなり、シャッタ部材１５の移動領域が小さくて済み、ディスクカートリッジ１自体の小型化を実現できる。
【００６３】
なお、ディスクカートリッジ１は、カートリッジ本体５の下面側であって、湾曲部１０とされた背面側の両側に、図２及び図３に示すように、ディスクドライブ装置５０側に設けた位置決めピンが係合する第１及び第２の位置決め孔４３，４４が設けられている。なお、第２の位置決め孔４４は、位置決めピンの係合位置を調整するため、シャッタ部材１５の移動方向と直交する幅方向を長径とする長孔として形成されている。
【００６４】
また、カートリッジ本体５の円弧状部７の相対向する側面８，９側には、図１及び図２に示すように、このディスクカートリッジ１が装着されるディスクドライブ装置５０側に設けられるカートリッジローディング機構の一部が係合するローディング用の係合凹部４５，４６が設けられている。
【００６５】
更にまた、カートリッジ本体５の円弧状部７の他方の側面９側に位置する部分には、図２に示すように、ディスクドライブ装置５０側に設けられるイジェクト機構の一部が係合するイジェクト用の係合凹部４７が設けられている。
【００６６】
更にまた、カートリッジ本体５の側面８，９、あるいは底面には、収納される光ディスク２の種類を識別するための識別孔や識別凹部が必要に応じて設けられる。
【００６７】
以上のような構成を備えるディスクカートリッジ１は、上下ハーフ３，４がポリカーボネート等を用いて射出成形等によって形成された後、光ディスク２及び捩りコイルバネ２９を所定の位置に収納し、上下ハーフ３，４を突き合わせ結合した後、シャッタ部材１５をはめ込むことにより形成される。
【００６８】
具体的に、下ハーフ４を治具に固定した後、捩りコイルバネ２９の第２のコイル部３が下ハーフ４に立設された支持ピン４２に回動可能に挿通される。そして、上ハーフ３が下ハーフ４に突き合わせられ、超音波溶着されることにより、支持ピン４２が上ハーフ３側に形成された軸受け部４１に支持され、捩りコイルバネ２９がカートリッジ本体５内に回動可能に収納される。このとき、捩りコイルバネ２９は、第２のコイル部３１が支持ピン４２に回動可能に支持されることにより、図１４に示すように、スライドガイド部１８が形成されたカートリッジ本体５の側面８より係止部３３が外方に突出可能とされている。
【００６９】
シャッタ部材１５は、上述したように、薄い金属板を打ち抜き折り曲げて形成され、又は合成樹脂材料を成型することにより形成される。このシャッタ部材１５は、カートリッジ本体５の側面８より突出されている捩りコイルバネ２９の係止部３３がコイルバネ取付片２６に取り付けられた後、カートリッジ本体５の側面８に形成されたスライドガイド部１８に取り付けられる。
【００７０】
具体的に、シャッタ部材１５は、連結片２１に設けられた第２の係合片２３及びコイルバネ取付片２６を、上ハーフ３側に形成されたガイドレール３５のテーパ面３５ａに沿わせながらシャッタ部１６を下ハーフ４に形成されたシャッタスライド部１９に延設させる。また、シャッタ部材１５は、連結片２１より延設されているコイルバネ取付片２６の係止孔２７に、捩りコイルバネ２９の係止部３３に設けられた立ち上がり部３３ｂが係止孔２７の開放端より挿入されることにより、捩りコイルバネ２９と連結される。次いで、シャッタ部材１５は、図８に示すように、自身の弾性によって連結片２１より延設される第１の係合片２２を上ハーフ３の係合溝２４に係合させるとともに、第２の係合片２３及びコイルバネ取付片２６に折り曲げ形成された折り曲げ部２３ａ及び２６ａをガイドレール３５の内側に位置させ、カートリッジ本体５に摺動自在に取り付けられ、ディスクカートリッジ１の組み立てが完了する。
【００７１】
このように、ディスクカートリッジ１は、捩りコイルバネ２９の係止部３３に立ち上がり部３３ｂを設け、この立ち上がり部３３ｂを、一端が開放されたコイルバネ取付片２６の係止孔２７に挿入することにより捩りコイルバネ２９とシャッタ部材１５との係合が図られるため、シャッタ部材１５のカートリッジ本体５への組付けが容易とされる。また、係合された後には、捩りコイルバネ２９の係止部３３に設けた延設部３３ａ又は折り曲げ部３３ｃがコイルバネ取付片２６に当接することにより捩りコイルバネ２９とシャッタ部材１５との係合が容易に外れないようにされている。
【００７２】
次に、上述したディスクカートリッジ１に収納された光ディスク２に対して情報信号の記録及び／又は再生を行うディスクドライブ装置の一例を説明する。
【００７３】
本発明に係るディスクカートリッジ１は、例えばテレビジョンゲームを実行するプログラムデータやビデオデータが記録された光ディスク２が収納される。そこで、この種の光ディスク２を収納した本発明に係るディスクカートリッジ１を用いるディスクドライブ装置としては、図１５に示すように、ディスクカートリッジ１が装着され、少なくとも光ディスク２に記録されたデータを再生するディスクドライブ部を内蔵した装置本体５１と、光ディスク２から再生された画像データや文字データを表示するディスプレイ部５２を備えたディスクドライブ装置５０が用いられる。
【００７４】
図１５に示すディスクドライブ装置５０は、ディスクドライブ部を内蔵した装置本体５１内には、図示はしないが、ディスクカートリッジ１をディスクドライブ部に装着するためのカートリッジホルダを備えたカートリッジローディング機構が設けられている。装置本体１の一側面を構成する前面には、カートリッジホルダに対しディスクカートリッジ１を挿入し、カセットホルダに装着されたディスクカートリッジ１をイジェクトするためのカートリッジ挿脱口５３が設けられている。カートリッジ挿脱口５３は、ディスクカートリッジ１の挿脱を行うに足る大きさの開口部として形成され、ここに挿入されるディスクカートリッジ１の幅Ｗ１よりわずかに大きい幅Ｗ２を有し、ディスクカートリッジ１の厚さＴ１よりわずかに大きな高さＨ２を有する矩形状に形成されている。装置本体５１内には、カートリッジ挿脱口５３に対向してカートリッジホルダ５４が配設されている。
【００７５】
装置本体５１の前面側の一側には、カートリッジホルダ５４に保持されたディスクカートリッジ１をイジェクト操作するためのイジェクトボタン５５が設けられている。
【００７６】
装置本体５１の上面の一方の側には、例えばテレビジョンゲームを実行する際に用いられる制御スイッチの操作ボタン５６，５７が設けられ、他方の側には、ディスプレイ部５２に表示される画像をスクロールするための制御キー５８が設けられ、更に、光ディスク２から再生されるオーディオ信号を出力するスピーカ５９が設けられている。
【００７７】
装置本体５１には、図示は省略するが、ディスクドライブ部を制御するための再生ボタン等の制御ボビンや電源スイッチ操作ボタン等が設けられている。
【００７８】
ディスプレイ部５２は、装置本体５１のカートリッジ挿脱口５３が設けられた前面側とは反対側の背面側に位置して、ヒンジ機構６０を介して装置本体５１に対し回動可能に取り付けられている。ディスプレイ部５２は、装置本体５１側に回動されることにより、装置本体５１の上面に重ね合わせられる。ディスプレイ部５２は、液晶表示パネルを用いて構成されている。
【００７９】
次に、上述のような構成を備えたディスクドライブ装置５０に本発明に係るディスクカートリッジ１を装着する状態を説明する。
【００８０】
ディスクカートリッジ１をディスクドライブ装置５０に装着するには、図１５に示すように、円弧状部７が形成された先端側を挿入端としてカートリッジ挿脱口５３から装置本体５１内に挿入され、カートリッジホルダ５４に保持される。
【００８１】
ところで、本発明に係るディスクカートリッジ１は、カートリッジ挿脱口５３への挿入端側がほぼ半円の円弧状部７として形成されているので、カートリッジ挿脱口５３の幅方向の中心線Ｐ１に対し幅方向の中心線Ｐ２を大きく傾斜して挿入した場合でも、円滑にカートリッジ挿脱口５３に挿入し、確実にカートリッジホルダ５４に保持できる。
【００８２】
すなわち、挿入端がほぼ半円の円弧状部７とされたディスクカートリッジ１は、図１６又は図１７に示すように、カートリッジ挿脱口５３の幅方向の中心線Ｐ１に対し幅方向の中心線Ｐ２を左右のいずれかの方向に４５度程度まで傾斜した状態でカートリッジ挿脱口５３に挿入された場合であっても、半円の円弧状部７側を大きく装置本体５１に挿入できる。このとき、ディスクカートリッジ１は、カートリッジ挿脱口５３への挿入途中にカートリッジ挿脱口５３のいずれか一方の側面に当接する円弧状部７の一部を中心にして、図１８に示すように、各中心線Ｐ１，Ｐ２を一致させる方向に回転して容易に姿勢を正しくすることができる。このように、本発明に係るディスクカートリッジ１は、カートリッジ挿脱口５３に対する挿入方向が大きく変位しても、確実にカートリッジホルダ５４への装着が可能となる。
【００８３】
カートリッジホルダ５４に挿入されたディスクカートリッジ１は、カートリッジホルダ５４内に配設されたシャッタ閉部材６３が側面８のガイド溝１４より進入され、シャッタ部材１５に当接される。シャッタ部材１５は、支持部１７の突き当て斜面６４ａがシャッタ部材１５の支持部１７に突き当てられることにより図５中矢印Ｄ方向へ撓まされる。そして、シャッタ閉部材６３は、係合部６４が支持部１７を摺動していき、係合孔１７ａに進入することによりシャッタ部材１５と係合する。
【００８４】
このとき、シャッタ閉部材６３は、緩衝部２０に当接され、湾曲又はテーパ状に形成された緩衝部２０にガイドされることによりスムーズに支持部１７に乗り上げられる。このため、ディスクカートリッジ１は、シャッタ部材１５の支持部１７の端部と、ディスクドライブ装置側のシャッタ閉部材６３との衝突による引っかかりがなく、ディスクドライブ装置への挿入感の向上を図ることができる。また、シャッタ部材１５とシャッタ閉部材６３との衝突が緩和されることにより、衝突による部材の劣化や摩耗、塵埃の発生等を防止することができる。
【００８５】
そして、シャッタ部材１５は、図示しないシャッタ開部材に当接され、これらシャッタ閉部材６３及びシャッタ開部材により、シャッタ部材１５は移動が規制され、ディスクドライブ装置５０内へ搬送されるカートリッジ本体５に対して図１中矢印Ａ方向へ相対的に移動され、ヘッド用開口部１３を開放する。
【００８６】
ディスクカートリッジ１は、シャッタ部材１５の移動が規制された状態で、カートリッジ本体５がヘッド用開口部１３を開放する図１８中矢印Ｅ方向に移動するとき、図１３及び図１９に示すように、捩りコイルバネ２９が偏倚される。捩りコイルバネ２９は、カートリッジ本体５が図１８中矢印Ｅ方向に移動され、第１のコイル部３０がシャッタ部材１５の移動方向側に位置する支持ピン４２の位置を超える位置まで偏倚されると、付勢方向が反転され、シャッタ部材１５をカートリッジ本体５の移動方向とは逆方向の図１８中矢印Ｆ方向に移動させ、前述した図１３及び図１９に示すように、ヘッド用開口部１３を開放する。このとき、シャッタ部材１５は、捩りコイルバネ２９によりヘッド用開口部１３を開放するように付勢されているので、確実にヘッド用開口部１３を開放した状態に維持する。
【００８７】
上述のような操作をもってヘッド用開口部１３が開放されてカートリッジホルダ５４に挿入されたディスクカートリッジ１は、ディスクドライブ装置５０内に設けられたカートリッジ装着部に位置決めして装着される。このとき、光ディスク２は、ディスクドライブ部に位置決めして装着される。ここで、ディスクドライブ部を駆動することによって、光ディスク２に記録されたプログラムデータが再生され、プログラムが実行される。
【００８８】
そして、光ディスク２の再生を行った後、ディスクドライブ装置５０に装着されたディスクカートリッジ１をイジェクトするには、イジェクトボタン５５を操作することによって行われる。イジェクトボタン５５が操作されると、カートリッジ装着部に装着されたディスクカートリッジ１のイジェクト操作が実行される。イジェクト操作が実行されると、ディスクカートリッジ１がカートリッジホルダ５４をディスク挿脱口５３側へ搬送される。
【００８９】
ディスクカートリッジ１がディスク挿脱口５３側へ搬送されると、シャッタ閉部材６３によって移動が規制されているシャッタ部材１５は、カートリッジ本体５に対して相対的に図１中矢印Ｂ方向へスライドされ、ヘッド用開口部１３を閉塞する。また、シャッタ部材１５は、矢印Ｂ方向へスライドされることにより、付勢方向が反転された捩りコイルバネ２９により、矢印Ｂ方向へ付勢され、ヘッド用開口部１３の閉塞状態を維持する。
【００９０】
また、シャッタ部材１５がシャッタスライド部１９の円弧状部７側の端部に当接されてスライドが規制されると、シャッタ閉部材６３は、係合孔１７ａの円弧状部７側の端部によって係合部６４の押圧斜面６４ｂが押圧され、図５中矢印Ｄ方向へ撓まされる。そして、シャッタ閉部材６３は、係合部６４が係合孔１７ａより排出されシャッタ部材１５との係合が解除される。
【００９１】
かかるシャッタ部材１５のヘッド用開口部１３の閉塞動作及びシャッタ開閉部材６３とシャッタ部材１５との係合解除操作の後、カートリッジ本体５がカートリッジ挿脱口５３から排出され、ディスクドライブ装置５０に装着されたディスクカートリッジ１のイジェクト操作が完了する。
【００９２】
以上のように、本発明に係るディスクカートリッジについて、挿入端側を半円状に形成し、小型化を図ったディスクカートリッジに適用した例を挙げて説明したが、本発明は、上述したディスクカートリッジに限られるものではなく、カートリッジ本体を矩形状に形成されたもの、更に、カートリッジ本体の上下の両面に記録及び／又は再生用の開口部を設けたディスクカートリッジにそのまま適用し、上述したディスクカートリッジと同様の利点を得ることができる。
【００９３】
すなわち、本発明は、カートリッジ本体に設けられた記録及び／又は再生用の開口部を開閉するシャッタ部材を備えたディスクカートリッジに広く適用できるものである。
【図面の簡単な説明】
【００９４】
【図１】本発明に係るディスクカートリッジを上ハーフ側から見た斜視図である。
【図２】本発明に係るディスクカートリッジを下ハーフ側から見た斜視図である。
【図３】本発明に係るディスクカートリッジを下ハーフ側から見た平面図である。
【図４】シャッタ部材とこのシャッタ部材が支持されるカートリッジ本体を示す斜視図である。
【図５】シャッタ開閉部材がシャッタ部材の緩衝部に当接する様子を示す平面図である。
【図６】シャッタ部材と、このシャッタ部材に取り付けられる捩りコイルバネを示す斜視図である。
【図７】本発明に係るディスクカートリッジのシャッタ部材が取り付けられた側の側面を示す側面図である。
【図８】カートリッジ本体にシャッタ部材を取り付けた状態を示す断面図である。
【図９】本発明が適用されたディスクカートリッジのシャッタ部材の他の例を示す平面図である。
【図１０】シャッタ部材を付勢する捩りコイルバネを示す図である。
【図１１】シャッタ部材に係止された捩りコイルバネを示す斜視図である。
【図１２】シャッタ部材がヘッド用開口部を閉塞しているディスクカートリッジを示す平面図である。
【図１３】シャッタ部材がヘッド用開口部を開放しているディスクカートリッジを示す平面図である。
【図１４】カートリッジ本体にシャッタ部材を取り付ける様子を示す図である。
【図１５】本発明に係るディスクカートリッジが用いられるディスクドライブ装置の一例を示す斜視図である。
【図１６】ディスクカートリッジがディスクドライブ装置のカートリッジ挿脱口に対し傾斜して挿入される状態を示す平面図である。
【図１７】ディスクカートリッジがディスクドライブ装置のカートリッジ挿脱口に対し他の方向に傾斜して挿入される状態を示す平面図である。
【図１８】ディスクカートリッジが姿勢が制御されてカートリッジホルダに挿入された状態を示す平面図である。
【図１９】ディスクカートリッジがカートリッジホルダに挿入され、シャッタ部材が移動されヘッド用開口部が開放された状態を示す平面図である。
【図２０】従来のディスクカートリッジのシャッタ部材を示す平面図である。
【符号の説明】
【００９５】
１  ディスクカートリッジ、２  光ディスク、４ａ  立ち上がり周壁、５  カートリッジ本体、７  円弧状部、８  シャッタ部材が支持される側の側面、１３  ヘッド用開口部、１５  シャッタ部材、１７  支持部、１８  スライドガイド部、２０  緩衝部、２１  連結片、２９  捩りコイルバネ、４０  緩衝部、６３  シャッタ開閉部材
【図１】
2005196900.tif 000003
【図２】
2005196900.tif 000004
【図３】
2005196900.tif 000005
【図４】
2005196900.tif 000006
【図５】
2005196900.tif 000007
【図６】
2005196900.tif 000008
【図７】
2005196900.tif 000009
【図８】
2005196900.tif 000010
【図９】
2005196900.tif 000011
【図１０】
2005196900.tif 000012
【図１１】
2005196900.tif 000013
【図１２】
2005196900.tif 000014
【図１３】
2005196900.tif 000015
【図１４】
2005196900.tif 000016
【図１５】
2005196900.tif 000017
【図１６】
2005196900.tif 000018
【図１７】
2005196900.tif 000019
【図１８】
2005196900.tif 000020
【図１９】
2005196900.tif 000021
【図２０】
2005196900.tif 000022